(57)【特許請求の範囲】
【請求項１】
建物に設けられた開口の内周部に備えられて互いに対向する一対の既設縦枠の間から室外側に突出させて設けられる新設縦枠および新設方立と、
前記新設方立の室外側に設けられ障子を案内するレールを備えた新設下枠および新設上枠と、
前記新設方立と前記建物の外壁との間を覆い前記新設方立に固定される方立額縁と、
を有し、
前記方立額縁は、前記新設方立と前記外壁との間を室外側から覆う本体部と、前記本体部の前記新設方立側の縁から延出されて前記新設方立に当接される方立当接部と、前記本体部の前記方立当接部と反対側の縁から前記外壁側に延設された延設部と、
を有し、
前記本体部を前記新設下枠および前記新設上枠に当接または近接させて前記方立当接部が前記新設方立に固定されていることを特徴とする改装用建具。
【請求項２】
請求項１に記載の改装用建具であって、
前記新設上枠は、前記新設方立と前記新設縦枠との間に設けられる新設内上枠と、
前記新設方立の室外側に、前記レールに沿う方向において前記新設方立の両側に亘って設けられる新設外上枠と、
前記新設方立に対して前記新設縦枠と反対側に突出し前記新設内上枠と前記新設外上枠とを接合するブラケットと、を有し、
前記本体部の上端側の部位は、前記ブラケットに当接または近接していることを特徴とする改装用建具。
【請求項３】
請求項１または請求項２に記載の改装用建具であって、
前記新設内上枠は、長手方向に沿う中空部と、前記中空部内に前記ブラケットの移動を規制する規制部と、を有しており、
前記新設方立は、上端部の室外側が切り欠かれて前記ブラケットおよび前記新設外上枠の載置部が設けられており、
前記新設内上枠の小口が前記新設方立の側面に当接されて固定され前記新設方立の切り欠かれた部位から露出する前記中空部に前記ブラケットの一方の端部が挿入されて前記規制部により移動が規制され、他方の端部側が前記新設縦枠と反対側に突出した状態で前記ブラケットが前記新設内上枠に固定されていることを特徴とする改装用建具。
【請求項４】
請求項３に記載の改装用建具であって、
前記規制部は、前記中空部を形成し室外に臨む壁部とともに上下方向に対向し、前記新設内上枠の長手方向に沿う溝を形成する溝形成部であり、
前記ブラケットは、前記溝に沿って前記中空部内に挿入されることを特徴とする改装用建具。
【請求項５】
請求項１乃至請求項４のいずれかに記載の改装用建具であって、
前記新設方立は、前記方立額縁側に突出する突起と、当該突起とともに前記新設縦枠側に窪む凹部を形成する段部とを有し、
前記方立当接部は、前記凹部に挿入されて前記新設方立に固定されていることを特徴とする改装用建具。
【発明の詳細な説明】
【技術分野】
【０００１】
本発明は、既設枠の室外側に設ける改装用建具に関する。
【背景技術】
【０００２】
従来、既設玄関引戸の既設枠に新しい玄関引き戸の枠を取り付けて玄関引戸をリフォームする建具枠は知られている（例えば、特許文献１参照）。この建具枠は、新設下枠と、左竪枠と、右竪枠と、上枠とを備えており、新設下枠は、既設下枠上、すなわち、既設枠の内周側に固定されている。また、左竪枠、右竪枠および上枠も既設竪枠、既設上枠及び躯体に既設枠の内周側から固定されている。
【先行技術文献】
【特許文献】
【０００３】
【特許文献１】特開２０１３−１３９７００号公報
【発明の概要】
【発明が解決しようとする課題】
【０００４】
上記のようなリフォーム用の建具のなかには、新たに取り付けた建具と外壁との間を塞ぐ額縁が設けられているものがある。額縁は、新たに取り付けた建具側にはビスなどにより固定することが可能であるが、建物側は、固定対象が既に完成されている外壁であるため、外壁にビスで固定すると外壁に貫通孔が形成されてしまう。また、額縁の外壁側の端部を外壁内に納めるためには、外壁の一部をはつるなどの作業が大掛かりになり、多大な手間と時間がかかるという課題がある。また、額縁を建具側のみで固定すると、建物側の端部が風等により煽られる、或いは、人や物に押されて変形してしまう虞がある。
【０００５】
本発明は、かかる課題に鑑みてなされたものであり、その目的とするところは、額縁を容易にかつ確実に固定することが可能な改装用建具を提供することにある。
【課題を解決するための手段】
【０００６】
かかる目的を達成するために本発明の改装用建具は、建物に設けられた開口の内周部に備えられて互いに対向する一対の既設縦枠の間から室外側に突出させて設けられる新設縦枠および新設方立と、前記新設方立の室外側に設けられ障子を案内するレールを備えた新設下枠および新設上枠と、前記新設方立と前記建物の外壁との間を覆い前記新設方立に固定される方立額縁と、を有し、前記方立額縁は、前記新設方立と前記外壁との間を室外側から覆う本体部と、前記本体部の前記新設方立側の縁から延出されて前記新設方立に当接される方立当接部と、前記本体部の前記方立当接部と反対側の縁から前記外壁側に延設された延設部と、を有し、前記本体部を前記新設下枠および前記新設上枠に当接または近接させて前記方立当接部が前記新設方立に固定されていることを特徴とする改装用建具である。
【０００７】
このような改装用建具によれば、新設方立と外壁との間を覆う方立額縁は、新設方立と外壁との間を室外側から覆う本体部が新設下枠および新設上枠に当接または近接された状態で、本体部の新設方立側の縁から延出された方立当接部が新設方立に固定されている。このため、新設下枠および新設上枠により本体部の室外側への移動が規制されるので、本体部の方立当接部と反対側の縁から外壁側に延設された延設部の移動も規制され、方立額縁が取り付けられたときの状態が維持される。このとき、方立額縁の取り付けは、方立当接部の新設方立への固定だけなので、確実にかつ容易に取り付けることが可能である。
【０００８】
かかる改装用建具であって、前記新設上枠は、前記新設方立と前記新設縦枠との間に設けられる新設内上枠と、前記新設方立の室外側に、前記レールに沿う方向において前記新設方立の両側に亘って設けられる新設外上枠と、前記新設方立に対して前記新設縦枠と反対側に突出し前記新設内上枠と前記新設外上枠とを接合するブラケットと、を有し、前記本体部の上端側の部位は、前記ブラケットに当接または近接していることが望ましい。
【０００９】
このような改装用建具によれば、新設方立の室外側に位置する新設外上枠は、レールに沿う方向において新設方立の両側に亘って設けられているので、新設上枠が一体の場合には、新設上枠の新設方立より室外側に位置する部位が、方立額縁を取り付ける作業の妨げとなる虞がある。このため、上記改装用建具のように、新設上枠を、新設内上枠と新設外上枠とをブラケットにより接合する構成とすることにより、方立額縁を取り付けた後に新設外上枠を取り付けることが可能になり、より容易に方立額縁を取り付けることが可能である。また、方立額縁が有する本体部の上端部側は、新設外上枠が固定されているブラケットに当接または近接しているのでより剛性が高い部位に当接されることにより、方立額縁の変形を防止することが可能である。
【００１０】
かかる改装用建具であって、前記新設内上枠は、長手方向に沿う中空部と、前記中空部内に前記ブラケットの移動を規制する規制部と、を有しており、前記新設方立は、上端部の室外側が切り欠かれて前記ブラケットおよび前記新設外上枠の載置部が設けられており、  前記新設内上枠の小口が前記新設方立の側面に当接されて固定されて前記新設方立の切り欠かれた部位から露出する前記中空部に前記ブラケットの一方の端部が挿入されて前記規制部により移動が規制され、他方の端部側が前記新設縦枠と反対側に突出した状態で前記ブラケットが前記新設内上枠に固定されていることが望ましい。
【００１１】
このような改装用建具によれば、新設内上枠と新設外上枠とを接合するブラケットは、一方の端部が新設内上枠の小口から挿入されて中空部内の規制部により移動が規制されるので、ブラケットを新設内上枠により強固に固定することが可能である。また、強固に固定されたブラケットに新設外上枠が固定されるので、新設方立から張り出して片持ちとなる新設外上枠を強固に支持することが可能である。また、ブラケットに固定された新設外上枠がブラケットとともに新設方立の上端部の切り欠かれた載置部に載置されるので、片持ちとなる新設外上枠を新設方立によってより確実に支持することが可能である。
【００１２】
かかる改装用建具であって、前記規制部は、前記中空部を形成し室外に臨む壁部とともに上下方向に対向し、前記新設内上枠の長手方向に沿う溝を形成する溝形成部であり、前記ブラケットは、前記溝に沿って前記中空部内に挿入されることが望ましい。
【００１３】
このような改装用建具によれば、ブラケットは、中空部内の溝形成部により形成された上下方向に対向し、新設内上枠の長手方向に沿う溝に沿って挿入されるので、上下方向はもとより、見込み方向においても移動が規制され、ブラケットの倒れも防止することが可能である。
【００１４】
かかる改装用建具であって、前記新設方立は、前記方立額縁側に突出する突起と、当該突起とともに前記新設縦枠側に窪む凹部を形成する段部とを有し、前記方立当接部は、前記凹部に挿入されて前記新設方立に固定されていることが望ましい。
【００１５】
このような改装用建具によれば、方立当接部は、新設方立の、方立額縁側に突出する突起と段部とにより形成され新設縦枠側に窪む凹部に挿入されて新設方立に固定されているので、新設方立を取り付けるときには、方立当接部を凹部に挿入するだけで位置決めすることが可能である。このため、より容易に方立額縁を適切な位置に取り付けることが可能である。
【発明の効果】
【００１６】
本発明によれば、額縁を容易にかつ確実に固定することが可能な改装用建具を提供する
【図面の簡単な説明】
【００１７】
【図１】本実施形態に係る改装用建具の外観図である。
【図２】本実施形態に係る改装用建具の横断面図である。
【図３】図２におけるＡ−Ａ断面図である。
【図４】図３におけるＦ部の拡大図である。
【図５】図２におけるＢＣＤＥ断面図である。
【図６】図５におけるＧ部の拡大図である。
【図７】ブラケットおよびブラケットの取り付け部を示す斜視図である。
【図８】本実施形態に係る改装用建具の構成を示す斜視図である。
【図９】縦額縁を取り付ける前までの施工方法を示す図である。
【図１０】縦額縁および上額縁の施工方法を示す図である。
【図１１】改装用建具の変形例を示す横断面図である。
【発明を実施するための形態】
【００１８】
以下、本発明の一実施形態に係る改装用建具について図面を参照して説明する。
本実施形態の改装用建具１は、例えば、玄関用建具の既設枠２のみを残した開口部に、図１〜図６に示すように建物３の外壁３ａより室外側に張り出して設けられた新設枠１０と、新設枠１０に装着される２枚の引戸障子４とを有し、引戸障子４が既設枠２に囲まれる領域の室外側の位置から外壁３ａと対向する位置まで移動可能な引込みタイプの改装用建具１である。
【００１９】
以下の説明においては、建物３等に取り付けられた状態の改装用建具１を室外側から見たときに、上下となる方向を上下方向、左右となり下枠が有するレールに沿う方向を左右方向、室内外方向である奥行き方向を見込み方向として示す。改装用建具１の各部位であっても、また、改装用建具１を構成する各部材については単体の状態であっても、建物３等に取り付けられた状態にて上下方向、左右方向、見込み方向となる方向にて方向を特定して説明する。
改装用建具１は、２枚の引戸障子４と、建物３等に外壁３ａより張り出して設けられる新設枠１０と、を備えている。
【００２０】
新設枠１０は、左右に設けられている既設縦枠２ａの内側に固定金具９（図８）を介して固定される新設方立１１及び新設縦枠１２と、既設下枠２ｂに上方から固定される新設下枠１３と、既設上枠２ｃの下方から固定金具９を介して固定される新設上枠１４と、新設方立１１と外壁３ａとの間を覆う方立額縁１５と、新設縦枠１２の室外に臨む面および新設縦枠１２と外壁３ａとの間を覆う縦額縁１６と、新設上枠１４の室外に臨む面および新設上枠１４と外壁３ａとの間を覆う上額縁１７と、新設上枠１４の室外側の部位をなす新設外上枠１４２を固定するためのブラケット１８と、を有している。以下の説明においては、既設枠２に囲まれる内側および矩形状に接合された新設方立１１、新設縦枠１２、新設下枠１３、新設上枠１４に囲まれる領域の内側を、単に内側または内周側とし、反対側を単に外側または外周側として説明する。
【００２１】
新設方立１１、新設縦枠１２および新設上枠１４を固定する固定金具９は、いずれも共通の部材であり、新設方立１１、新設縦枠１２および新設上枠１４が有する外周側の面と対面させてビス止めされる新設枠側固定部９ａと、既設縦枠２ａおよび既設上枠２ｃが有する内周側の面との間に介在される飼い木６と対面させてビス止めされる既設枠側固定部９ｂと、新設枠側固定部９ａの室内側の端と既設枠側固定部９ｂの室外側の端とを、新設枠側固定部９ａおよび既設枠側固定部９ｂとほぼ直交するように連結する連結部９ｃとを有し、例えば、鋼板を段曲げした形状をなしている。
【００２２】
本改装用建具１では、２枚の引戸障子４が新設方立１１より左側まで移動可能に形成されて、引戸障子４の一部が外壁３ａと対向する位置まで引き込まれるように構成されており、新設縦枠１２は引戸障子４を閉じた際に戸先部４ａと係合する戸当たりをなしている。このため、新設方立１１は、新設縦枠１２より既設縦枠２ａから室外側に突出する突出量が小さく、新設方立１１の室外側を２枚の引戸障子４が、新設下枠１３および新設上枠１４のレール１３３、１４２ｊに案内されて左右方向に移動するように構成されている。そして、新設縦枠１２にはラッチ機構や施錠機構などの機能部材が設けられており、新設方立１１の室外側の端部には、引戸障子４を閉じた際に、室内側を移動する引戸障子４の戸尻部４ｂと係合する煙返し１１ａと、戸尻部４ｂと接触するシール部材１１ｂとが設けられている。
【００２３】
新設方立１１及び新設縦枠１２はいずれも、既設縦枠２ａよりも室外側に突出して設けられており、室内側の端部に設けられた角部に、新設枠側固定部９ａと連結部９ｃがなす角部が内周側から重ねられて固定金具９がビス止めされている。固定金具９がビス止めされた新設方立１１及び新設縦枠１２は、連結部９ｃの室内側の面が、既設扉の周端部に当接すべく既設縦枠２ａに設けられていたシール材が取り外された嵌合部２ｄの室外側の部位に当接されて位置決めされている。
【００２４】
新設方立１１は、断面がほぼ矩形状をなし見込み方向において中央より室外側に偏った位置に補強リブ１１ｆが設けられており、補強リブ１１ｆの室内外側にそれぞれ新設方立１１の長手方向に沿う２つの中空部１１ｇが設けられている。新設方立１１の上端部は、図７に示すように、補強リブ１１ｆより室外側の部位が切り欠かれており、補強リブ１１ｆの、鉛直な平面をなす室外側の面１１ｈが室外に臨んでいる。
【００２５】
また、既設縦枠２ａの内周側の面と、新設方立１１及び新設縦枠１２に各々設けられた固定金具９の新設枠側固定部９ａおよび既設枠側固定部９ｂの外周側の面との間に、固定金具９と既設縦枠２ａの嵌合部２ｄとが干渉しないように飼い木６が設けられている。新設方立１１及び新設縦枠１２にビス止めされた固定金具９は、既設枠側固定部９ｂが飼い木６、既設縦枠２ａ、既設額縁７を介して躯体５にビス止めされている。
【００２６】
方立額縁１５は、既設縦枠２ａに固定された新設方立１１と外壁３ａとの間を覆う部材であり、新設方立１１の全長に亘って設けられる。方立額縁１５は、外壁３ａに沿う面を有し新設方立１１と外壁３ａとの間を室外側から覆う本体部１５ａと、本体部１５ａの新設方立１１側の縁から室外側に延設され、新設方立１１に設けられた突起１１ｃと内周側に窪む段部１１ｄとにより形成される凹部１１ｅに当接される方立当接部１５ｂと、本体部１５ａの方立当接部１５ｂと反対側の縁から外壁３ａ側に延設された左延設部１５ｃとを有している。方立額縁１５の上端部は、方立当接部１５ｂが、新設方立１１の切り欠かれた室外側の部位の小口１１ｉより低い位置にて切り欠かれている。
【００２７】
方立額縁１５は、左延設部１５ｃに見込み方向の長さを変更可能に厚みが薄く形成され長手方向に沿った線状薄肉部１５ｄが複数設けられており、現場のサイズに合わせて、いずれかの線状薄肉部１５ｄにて切断された後、方立当接部１５ｂが新設方立１１の凹部１１ｅに当接されてビス止めされる。
【００２８】
新設下枠１３と新設上枠１４とは、新設方立１１と新設縦枠１２とが対向する部位間に設けられる新設内下枠１３１および新設内上枠１４１と、新設方立１１より室外側に設けられ新設内下枠１３１および新設内上枠１４１と接合される新設外下枠１３２および新設外上枠１４２とを有している。
【００２９】
新設内下枠１３１は、既設下枠２ｂと、既設下枠２ｂの室外側に上面が既設下枠２ｂと平坦に繋がるように形成された下地８の上に載置されて既設下枠２ｂに上方からビス止めされている。新設外下枠１３２は、室内側の部位が新設内下枠１３１の室外側の部位の下側に入り込んで新設内下枠１３１と係合されると共にビス止めされており、更に、室外側にて下地にビス止めされている。新設外下枠１３２の新設内下枠１３１より室外側に、２枚の引戸障子４を左右方向に案内するレール１３３が設けられている。すなわち、左右方向がレール１３３に沿う方向に相当する。
【００３０】
新設内上枠１４１は、既設上枠２ｃよりも室外側に突出して設けられている。新設内上枠１４１は、断面がほぼ矩形状をなして上下方向におけるほぼ中央に横補強リブ１４１ａが設けられ、横補強リブ１４１ａの上下にそれぞれ新設内上枠１４１の長手方向に沿う中空部１４１ｂが設けられている。新設内上枠１４１の室内側における上端の角部には、新設枠側固定部９ａと連結部９ｃがなす角部が上方から重ねられて固定金具９がビス止めされている。
【００３１】
固定金具９がビス止めされた新設内上枠１４１は、連結部９ｃの室内側の面が、既設上枠２ｃに内周側に突出させて設けられ、取り外された既設扉の周端部に当接していたシール材の嵌合部２ｄの室外側の部位に当接されて位置決めされている。
【００３２】
また、既設上枠２ｃの内周側の面と、新設上枠１４に設けられた固定金具９の既設枠側固定部９ｂの外周側の面との間に、固定金具９と既設上枠２ｃの嵌合部２ｄとが干渉しないように飼い木６が設けられている。新設上枠１４にビス止めされた固定金具９は、既設枠側固定部９ｂが飼い木６、既設上枠２ｃ、既設額縁７を介して躯体５にビスにて固定されている。
【００３３】
新設内上枠１４１のほぼ鉛直をなす室外側の壁部１４１ｃは、上部側に新設外上枠１４２の室内側に設けられた上延出部１４２ａがシール材２１を介して押圧され、上下方向の中央近傍と下部側には室外側に突出されてその先端にてほぼ鉛直な面が形成され、新設外上枠１４２の室内側の壁部１４２ｂが当接される当接片１４１ｄが設けられている。下部側の当接片１４１ｄの下端からは室外側に向かってほぼ水平に延出され、新設外上枠１４２の室内側の部位がシール材２１を介して載置される外上枠載置部１４１ｅが設けられている。
【００３４】
新設内上枠１４１の室外側の壁部１４１ｃの室内側には、上下方向において互いに対向し長手方向に沿った溝１４１ｆを室外側の壁部１４１ｃとともに形成する一対の溝形成部１４１ｇが設けられており、新設外上枠１４２を固定するための後述する鋼板製のブラケット１８が上下の溝１４１ｆに沿うように挿入される。
【００３５】
溝１４１ｆは、鋼板製のブラケット１８の板厚より僅かに広い幅を有し、一対の溝形成部１４１ｇにより形成される溝１４１ｆの底間の距離は、溝１４１ｆに沿って挿入されるブラケット１８の内上枠挿入部１８ａの上下方向の幅より僅かに広く形成されている。このため、上下方向において互いに対向する溝１４１ｆに挿入されたブラケット１８は、上下方向にも見込み方向にも移動が規制されるので、見込み方向に沿う軸周りの回転も、左右方向に沿う軸周りの回転も規制された状態でビス止めされることにより、より強固に固定される。すなわち、ブラケット１８が挿入される溝１４１ｆを形成する部位をなす新設内上枠１４１の室外側の壁部１４１ｃおよび溝形成部１４１ｇがブラケットの移動を規制する規制部に相当する。
【００３６】
新設内上枠１４１の室外側に取り付けられる新設外上枠１４２は、断面がほぼ矩形状をなし見込み方向におけるほぼ中央に縦補強リブ１４２ｃが設けられ、縦補強リブ１４２ｃの室内外側にそれぞれ新設外上枠１４２の長手方向に沿う中空部が設けられている。新設外上枠１４２の室内側における上端の角部は、中空部を形成する上面部１４２ｄが室内側に延出されており、延出された部位の縁には、下方に垂設された垂設片１４２ｅと、上方に延出された上延出部１４２ａとが設けられている。また、上延出部１４２ａの上端には、室外側に向かって低くなるように傾斜して延出された傾斜延出片１４２ｆが設けられている。  
【００３７】
新設外上枠１４２の室内側には、室内側の中空部における室内側の壁部１４２ｂが、ほぼ鉛直をなすように設けられており、室内側の壁部１４２ｂの下端には、水平な面をなし室内側の壁部１４２ｂと共に中空部の角部をなす底部１４２ｇと繋がっている。
【００３８】
新設外上枠１４２のほぼ鉛直をなす室外側の壁部１４２ｈには、ほぼ水平をなして室外側に突出された外突出片１４２ｉが設けられている。また、室外側の壁部１４２ｈと底部１４２ｇとの間には、見込み方向に適宜間隔を隔てて引戸障子４を案内するレール１４２ｊが設けられている。
【００３９】
新設外上枠１４２を固定するためのブラケット１８は、図７に示すように、新設内上枠１４１において上下に配置された一対の溝形成部１４１ｇに新設内上枠１４１の左の小口１４１ｈから挿入される内上枠挿入部１８ａと、内上枠挿入部１８ａが挿入されて新設内上枠１４１の小口１４１ｈから側方に突出するように設けられ内上枠挿入部１８ａと繋がった平板状の延出板部１８ｂと、延出板部１８ｂの下縁から室外側に延出されて新設外上枠１４２が下方からビス止めされるとともに新設外上枠１４２を下から支持する上枠支持部１８ｃとを有している。延出板部１８ｂは上下方向の幅が内上枠挿入部１８ａより上方側に広く形成されており、延出板部１８ｂの上部側と上枠支持部１８ｃとに新設外上枠１４２がビス止めされる。
【００４０】
上額縁１７は、新設上枠１４の外壁３ａより室外側に突出した部位を覆う押出成形部材でなる上額縁本体１７１と、上額縁本体１７１の両端の小口に取り付けられる端部プレート１７２と、上額縁本体１７１と外壁３ａとの間を塞ぐ上閉塞プレート１７３とを有している。
【００４１】
上額縁本体１７１は、断面形状がほぼ台形状をなし長手方向に沿った中空部を有する上カバー部１７１ａと、上カバー部１７１ａの天面部１７１ｂから室内側に延出された上延出部１７１ｃと、上カバー部１７１ａの室外側の先端から垂設された室外垂設部１７１ｄとを有している。
【００４２】
上カバー部１７１ａは、断面形状の台形状における底辺に相当する底面部１７１ｅが、新設外上枠１４２の上方に位置し、底面部１７１ｅから垂設された突起部１７１ｆと、底面部１７１ｅの室内側の端より室内側に延出された位置から垂設された脚部１７１ｇとが新設外上枠１４２の上面部１４２ｄ上に載置されるように構成されている。
【００４３】
上カバー部１７１ａには、底面部１７１ｅの上方に間隔を隔てて設けられた天面部１７１ｂが室内側の上延出部１７１ｃと平坦に繋がっており、天面部１７１ｂと上延出部１７１ｃの境界部には、垂設されて中空部の室内側の壁を形成する垂設壁部１７１ｉが設けられている。垂設壁部１７１ｉの下端と、底面部１７１ｅの室内側の端との間には、室外側に窪む上カバー凹部１７１ｊが設けられている。
【００４４】
上カバー凹部１７１ｊは、新設内上枠１４１の室外側における上側の角部がシール材２１を介して押圧され、室外側に窪む段部１７１ｋと、室外側に窪む段部１７１ｋから更に室外側に窪み、新設内上枠１４１に取り付けられた新設外上枠１４２の傾斜延出片１４２ｆが挿入される挿入凹部１７１ｌが設けられている。挿入凹部１７１ｌを形成し段部１７１ｋから繋がる凹部上面部１７１ｍは、傾斜延出片１４２ｆと同様の傾斜を有しており、凹部上面部１７１ｍの先端に垂設された凹部垂設部１７１ｎの下端が底面部１７１ｅと繋がっている。
【００４５】
底面部１７１ｅの室内側の端より室内側に延出された位置から垂設された脚部１７１ｇは、凹部垂設部１７１ｎより室内側に設けられており、凹部垂設部１７１ｎと脚部１７１ｇの上端部との間は僅かに下方に窪む窪み１７１ｑが設けられている。室外垂設部１７１ｄの室内側には、ほぼ水平に延出された上カバー延出片１７１ｏが設けられ、底面部１７１ｅの見込み方向におけるほぼ中央には、下面側に上額縁１７を新設上枠１４に固定するためにビスが螺合されるビス螺合部１７１ｐが設けられている。
【００４６】
上閉塞プレート１７３は、取り付けられた上額縁本体１７１と外壁３ａとの間を塞ぐべく、上額縁本体１７１と十分に重なる位置から外壁３ａに当接される位置に配置して上方から上額縁本体１７１にビス止めされる。上延出部１７１ｃおよび上閉塞プレート１７３には、現場のサイズに合わせて、見込み方向の長さを変更可能に厚みが薄く形成され長手方向に沿った線状薄肉部が複数設けられている。
【００４７】
本改装用建具１の施工方法は、まず、新設内下枠１３１と新設外下枠１３２とを接合した新設下枠１３と、新設方立１１及び新設縦枠１２と、新設内上枠１４１とを接合した新設枠ユニット１ａを形成する。新設方立１１における上端の側面１１ｊに新設内上枠１４１の小口１４１ｈが当接されて接合された新設枠ユニット１ａの状態では、新設方立１１における上端の切り欠かれた部位から新設内上枠１４１の室外側の中空部１４１ｂ内に設けられ上下に対向する溝１４１ｆおよび溝形成部１４１ｇが露出している。このとき、新設方立１１の補強リブ１１ｆの室外側の面１１ｈと溝形成部１４１ｇの室外側の面とがほぼ面一をなしている。
【００４８】
次に、図９（ａ）に示すように、新設枠ユニット１ａの新設方立１１、新設縦枠１２、新設内上枠１４１に複数の固定金具９を、各々の長手方向に適宜間隔を隔てて固定する。
次に、図９（ｂ）に示すように、固定金具９が固定された新設枠ユニット１ａを、固定金具９の連結部９ｃを既設縦枠２ａ及び既設上枠２ｃに設けられているシール材の嵌合部２ｄに当接させて位置決めする。このとき、既設縦枠２ａ、既設上枠２ｃ及び既設額縁７と固定金具９との間には、適宜飼い木６を介在させておく。
【００４９】
次に、新設枠ユニット１ａの新設方立１１、新設縦枠１２、新設内上枠１４１に固定された固定金具９を既設障子が取り外された既設縦枠２ａ、既設上枠２ｃ、飼い木６、既設額縁７を介して躯体５に固定し、新設内下枠１３１を既設下枠２ｂに上方から固定し、新設外下枠１３２を下地８に上方から固定することにより、新設枠ユニット１ａを固定する。このとき、新設内下枠１３１上には沓摺１３４を配置し、新設外下枠１３２上にはレール１３３を固定する。新設枠ユニット１ａを既設枠２に固定した後には、既設縦枠２ａおよび既設上枠２ｃの室外側端部と新設方立１１、新設縦枠１２、新設上枠１４および固定金具９との間はシール剤１９によりシールを施しておく。
【００５０】
次に、方立額縁１５における本体部１５ａ下端の室外側の面を、新設外下枠１３２の室内側の面に当接させるとともに、図９（ｃ）に示すように、方立額縁１５の方立当接部１５ｂを、新設方立１１に設けられた突起１１ｃと段部１１ｄとにより形成された凹部１１ｅに当接し、側方からビスにて固定する。方立額縁１５が新設方立１１に固定された状態で、方立額縁１５における上端部側の本体部１５ａの室外側の面は、補強リブ１１ｆの室外側の面１１ｈおよび溝形成部１４１ｇの室外側の面とほぼ面一をなしている。このとき、左延設部１５ｃは、いずれかの線状薄肉部１５ｄにて切断して予め現場のサイズに合わせておく。また、新設方立１１に取り付けられた方立額縁１５の左延設部１５ｃと外壁３ａとの間はシール剤１９によりシールを施しておく。
【００５１】
次に、新設外上枠１４２を取り付けるためのブラケット１８を新設内上枠１４１に固定する。このときブラケット１８の内上枠挿入部１８ａが新設内上枠１４１において上下に配置された一対の溝形成部１４１ｇ間に挿入すると、ブラケット１８の延出板部１８ｂが本体部１５ａの上端部側における室外側の面および補強リブ１１ｆの室外側の面１１ｈに当接または近接された状態となる。また、ブラケット１８の内上枠挿入部１８ａの下面は、新設方立１１の室外側の小口１１ｉ上に載置される。このとき新設方立１１の室外側の小口１１ｉとブラケット１８の上枠支持部１８ｃの上面はほぼ面一となる。すなわち、新設方立１１の室外側の小口１１ｉが、新設方立１１の上端部の室外側が切り欠かれて設けられた、ブラケット１８および新設外上枠１４２の載置部に相当する。
【００５２】
内上枠挿入部１８ａが一対の溝形成部１４１ｇ間に挿入された後、内上枠挿入部１８ａと新設内上枠１４１とをビスにて接合することにより、延出板部１８ｂおよび上枠支持部１８ｃが、新設方立１１より左側の外壁３ａの室外側に突出した状態となり、方立額縁１５は、下端部側が新設外下枠１３２に、また、上端側がブラケット１８によりそれぞれ規制されるので、方立額縁１５が室外側に倒れることはない。
【００５３】
次に、図９（ｄ）に示すように、新設縦枠１２、新設内上枠１４１およびブラケット１８に新設外上枠１４２を固定する。新設外上枠１４２は、既に取り付けられている新設内上枠１４１の上側の当接片１４１ｄより上方に新設外上枠１４２の垂設片１４２ｅを位置させて新設外上枠１４２を室内側に移動させ、新設外上枠１４２の上延出部１４２ａを新設内上枠１４１の室外側の壁部１４１ｃの上部に、また、新設外上枠１４２の室内側の壁部１４２ｂを新設内上枠１４１の２つの当接片１４１ｄにそれぞれ当接させた後に下方に移動し、新設外上枠１４２の底部１４２ｇを新設内上枠１４１の外上枠載置部１４１ｅおよびブラケット１８の上枠支持部１８ｃに載置する。このとき、新設外上枠１４２の垂設片１４２ｅが新設内上枠１４１の上側の当接片１４１ｄと室外側の壁部１４１ｃとの間に挿入される。
新設外上枠１４２は、右側の小口を新設縦枠１２の上部に当接させて側方からビス止めされ、上延出部１４２ａが新設内上枠１４１の室外側の壁部１４１ｃの上側の部位およびブラケット１８の延出板部１８ｂに室外側からビス止めされる。また、新設外上枠１４２の底部１４２ｇは、新設内上枠１４１の外上枠載置部１４１ｅおよびブラケット１８の上枠支持部１８ｃに下方からビス止めされる。
【００５４】
次に、図１０（ａ）に示すように、縦額縁１６を新設縦枠１２に固定し、図１０（ｂ）、図１０（ｃ）に示すように、現場のサイズに合わせて予めいずれかの線状薄肉部にて切断した端部プレート１７２および上閉塞プレート１７３が上額縁本体１７１に取り付けられた上額縁１７を取り付ける。
【００５５】
上額縁１７が新設外上枠１４２に取り付けられた後に、端部プレート１７２および上閉塞プレート１７３と外壁３ａとの間はシール剤１９によりシールを施しておく。
【００５６】
本実施形態の改装用建具１によれば、新設方立１１と外壁３ａとの間を覆う方立額縁１５は、左右方向に配置される本体部１５ａが新設外下枠１３２および新設外上枠１４２に当接または近接された状態で、本体部１５ａの新設方立側１１の縁から延出された方立当接部１５ｂが新設方立１１に固定される。このため、新設外下枠１３２および新設外上枠１４２により本体部１５ａの室外側への移動が規制されるので、本体部１５ａの方立当接部１５ｂと反対側の縁から外壁３ａ側に延設された左延設部１５ｃの移動も規制され、方立額縁１５が取り付けられたときの状態が維持される。このとき、方立額縁１５の取り付けは、方立当接部１５ｂの新設方立１１への固定だけなので、確実にかつ容易に取り付けることが可能である。
【００５７】
また、新設方立１１の室外側に位置する新設外上枠１４２は、左右方向において新設方立１１の両側に亘って設けられているので、新設上枠１４が一体の場合には、新設上枠１４の新設方立１１より室外側に位置する部位が、方立額縁１５を取り付ける作業の妨げとなる虞がある。このため、上記改装用建具１のように、新設上枠１４を、新設内上枠１４１と新設外上枠１４２とをブラケット１８により接合する構成とすることにより、方立額縁１５を取り付けた後に新設外上枠１４２を取り付けることが可能になり、より容易に方立額縁１５を取り付けることが可能である。また、方立額縁１５が有する本体部１５ａの上端部側は、新設外上枠１４２が固定されているブラケット１８に当接または近接しているのでより剛性が高い部位に当接されることにより、方立額縁１５の変形を防止することが可能である。
【００５８】
また、新設内上枠１４１と新設外上枠１４２とを接合するブラケット１８は、内上枠挿入部１８ａが新設内上枠１４１の小口から挿入されて、中空部１４１ｂ内に溝１４１ｆを形成する新設内上枠１４１の室外側の壁部１４１ｃおよび溝形成部１４１ｇにより移動が規制されるので、ブラケット１８を新設内上枠１４１により強固に固定することが可能であり、また、強固に固定されたブラケット１８に新設外上枠１４２が固定されるので、新設方立１１から張り出して片持ちとなる新設外上枠１４２を強固に支持することが可能である。また、ブラケットに固定された新設外上枠がブラケットとともに新設方立の上端部の切り欠かれた小口１１ｉに載置されるので、片持ちとなる新設外上枠１４２を新設方立１１によって、より確実に支持することが可能である。
【００５９】
また、ブラケット１８は、中空部１４１ｂ内の溝形成部１４１ｇにより形成された上下方向に対向し、新設内上枠１４１の長手方向に沿う溝１４１ｆに沿って挿入されるので、上下方向はもとより、見込み方向においても移動が規制され、ブラケット１８の倒れも防止することが可能である。
【００６０】
また、方立当接部１５ｂは、新設方立１１の、方立額縁１５側に突出する突起１１ｃと段部１１ｄとにより形成され新設縦枠１２側に窪む凹部１１ｅに挿入されて新設方立１１に固定されているので、新設方立１１を取り付けるときには、方立当接部１５ｂを凹部１１ｅに挿入するだけで位置決めすることが可能である。このため、より容易に方立額縁１５を取り付けることが可能である。
【００６１】
上記実施形態においては、一対の既設縦枠２ａの対向部に新設方立１１および新設縦枠１２を備え、新設方立１１より室外側に突出する新設縦枠１２に障子の戸先部が当接する引戸障子を備えた改装用建具１について説明したが、これに限るものではない。例えば、図１１に示すように、互いに対向する一対の既設縦枠２ａの間から室外側に突出させて設けられる一対の新設方立１１と、一対の新設方立１１の室外側に引戸障子４を案内するレール１３３を備えた新設下枠１３および新設上枠（不図示）と、を有し、新設下枠１３および新設上枠は、レール１３３に沿う方向において一対の新設方立１１が互いに対向する方向と反対側に各々突出させて設けられている構成であっても構わない。この場合には、新設下枠および新設上枠１４のレール１３３、１４２ｊに沿って案内される引戸障子４を一対の新設方立１１が対向する方向と反対側に各々移動させる所謂引分けタイプの改装用建具３２を提供することが可能である。
【００６２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６３】
１  改装用建具、２  既設枠、２ａ  既設縦枠、３  建物、３ａ  外壁、
４  引戸障子、４ａ  戸先部、１１  新設方立、１１ｃ  突起、１１ｄ  段部、
１１ｅ  凹部、１１ｆ  リブ、１１ｉ  小口、１１ｊ  側面、１２  新設縦枠、
１３  新設下枠、１４  新設上枠、１５  方立額縁、１５ａ  本体部、
１５ｂ  方立当接部、１５ｃ  左延設部、１８  ブラケット、１８ａ  内上枠挿入部、
１８ｂ  延出板部、１８ｃ  上枠支持部、３２  改装用建具、１３３  レール、
１４１  新設内上枠、１４１ｂ  中空部、１４１ｃ  壁部、１４１ｆ  溝、
１４１ｇ  溝形成部、１４１ｈ  小口、１４２  新設外上枠、１４２ｊ  レール
【図１】
0006433814.tif 000002
【図２】
0006433814.tif 000003
【図３】
0006433814.tif 000004
【図４】
0006433814.tif 000005
【図５】
0006433814.tif 000006
【図６】
0006433814.tif 000007
【図７】
0006433814.tif 000008
【図８】
0006433814.tif 000009
【図９】
0006433814.tif 000010
【図１０】
0006433814.tif 000011
【図１１】
0006433814.tif 000012